(57)【要約】【課題】入浴補助具の着座高さを低く抑え高くなり過ぎることを防止する。入浴者の誤操作を防ぎ、動作を妨げない形状とする。【解決手段】入浴補助具は、座面部１と、背もたれ部２と、浴槽の縁４を挟み込むことで浴槽の縁４に固定することが可能な挟み込み機構３とを備える。挟み込み機構３が浴槽の縁４に固定された状態で浴槽の縁上面４Ａの上方に位置する挟み込み機構３の部分は、背もたれ部２の後方に配置される。【選択図】図１
2015062536.tif 000002
【特許請求の範囲】
【請求項１】
座面部と、
背もたれ部と、
浴槽の縁を挟み込むことで前記浴槽の縁に固定することが可能な挟み込み機構とを備え、
前記挟み込み機構が前記浴槽の縁に固定された状態で前記浴槽の縁上面の上方に位置する前記挟み込み機構の部分が、前記背もたれ部の後方に配置されていることを特徴とする入浴補助具。
【請求項２】
前記挟み込み機構の操作部が前記背もたれ部の後方に配置されていることを特徴とする請求項１に記載の入浴補助具。
【請求項３】
前記挟み込み機構の操作部が前記背もたれ部の上半分に対応する位置内に配置されていることを特徴とする請求項２に記載の入浴補助具。
【請求項４】
前記挟み込み機構が前記座面部の下方に配置されている部分を有することを特徴とする請求項１〜３のいずれか一項に記載の入浴補助具。
【発明の詳細な説明】
【技術分野】
【０００１】
本発明は、座面部を備え、浴槽の縁に固定された状態で使用される入浴補助具に関する。
【背景技術】
【０００２】
被介護者や高齢者などの浴槽への出入りを補助する入浴補助具が従来から種々提案されている。ここでは、大掛かりな構成ではない三種類の入浴補助具について説明する。
【０００３】
第１の入浴補助具は、手摺りを備え、浴槽の縁に固定された状態で使用される入浴補助具（例えば特許文献１参照）である。第１の入浴補助具は、立位での浴槽への出入りを補助するために用いられる。
【０００４】
第２の入浴補助具は、浴槽の両縁に渡る長板形状の入浴補助具（例えば特許文献２参照）である。第２の入浴補助具は、座位での浴槽への出入りを補助するために用いられる。浴槽へ入る際に、例えば入浴者は移乗台や入浴用椅子などから第２の入浴補助具に臀部を移動させながら片足ずつ浴槽に入る。また、浴槽から出る際に、例えば入浴者は第２の入浴補助具から移乗台や入浴用椅子などに臀部を移動させながら片足ずつ浴槽から出る。
【０００５】
第３の入浴補助具は、座面部を備え、浴槽の縁に固定された状態で使用される入浴補助具（例えば特許文献３参照）である。第３の入浴補助具は、第２の入浴補助具と同様、座位での浴槽への出入りを補助するために用いられる。浴槽へ入る際に、例えば入浴者は第３の入浴補助具に腰を掛けたのち臀部を回転させながら片足ずつ浴槽に入る。また、浴槽から出る際に、例えば入浴者は第３の入浴補助具に腰を掛けたのち臀部を回転させながら片足ずつ浴槽に出る。
【先行技術文献】
【特許文献】
【０００６】
【特許文献１】特開２０１０−２４６６９１号公報
【特許文献２】特開２００２−３３１０１６号公報
【特許文献３】特開平８−１６４０８４号公報
【発明の概要】
【発明が解決しようとする課題】
【０００７】
浴槽の縁は、入浴者が跨ぐのに適した高さに設計されている。そして、入浴者が跨ぐのに適するように設計された高さは、入浴者が腰を掛けるのにも適した高さとなっている。
【０００８】
ところが、従来の第３の入浴補助具では、浴槽の縁を挟み込むことで浴槽の縁に固定することが可能な挟み込み機構の全体が座面部の下に配置されている。このため、着座高さが、最低でも浴槽の縁の高さと座面部の厚みと浴槽の縁上面に接している部分における挟み込み機構の厚みとの合計になり、入浴者が腰を掛けるのに適した高さよりもかなり高くなり、入浴者が楽に腰を掛けることができないという問題がある。例えば、特許文献３で提案されている第３の入浴補助具では、挟み込み機構に対して座面部が回転できるように挟み込み機構と座面部との間に回転機構が設けられているので、着座高さが、浴槽の縁の高さと座面部の厚みと浴槽の縁上面に接している部分における挟み込み機構の厚みと回転機構の厚みとの合計になり、上記の問題がより顕著になる。
【０００９】
また、従来の第３の入浴補助具では、上記の通り挟み込み機構の全体が座面部の下に配置されているため、挟み込み機構の操作部が座面部の下に位置している。入浴者が従来の第３の入浴補助具に腰を掛ける際あるいは従来の第３の入浴補助具に腰を掛けた状態から立ち上がる際などに、入浴者がバランスをとるためや力を入れるためなどに浴槽の縁や従来の第３の入浴補助具に手を掛けることがあるが、挟み込み機構の操作部が座面部の下に位置しているために入浴者が誤って挟み込み機構の操作部を触ってしまうおそれがあり誤操作の要因となる。
【００１０】
また、浴槽への出入りにおいて入浴者は浴槽の縁を跨ぐことになるが、従来の第３の入浴補助具のように挟み込み機構の操作部が座面部の下に位置していると、入浴者が浴槽の縁を跨ぐ際に入浴者の足が誤って挟み込み機構の操作部に当たってしまうおそれがあり誤操作及び動作の妨げの要因となる。
【００１１】
本発明は、着座高さを低く抑え高くなり過ぎることを防止することができる入浴補助具を提供することを目的とする。
【課題を解決するための手段】
【００１２】
上記目的を達成するために、本発明に係る入浴補助具は、座面部と、背もたれ部と、浴槽の縁を挟み込むことで前記浴槽の縁に固定することが可能な挟み込み機構とを備え、前記挟み込み機構が前記浴槽の縁に固定された状態で前記浴槽の縁上面の上方に位置する前記挟み込み機構の部分が、前記背もたれ部の後方に配置されている構成（第１の構成）とする。
【００１３】
上記第１の構成によると、挟み込み機構が浴槽の縁に固定された状態で浴槽の縁上面の上方に位置する挟み込み機構の部分が座面部の下に配置されないので、着座高さが高くなり過ぎることを防止することができる。
【００１４】
上記第１の構成の入浴補助具において、前記挟み込み機構の操作部が前記背もたれ部の後方に配置されている構成（第２の構成）とすることが好ましい。
【００１５】
入浴者が入浴補助具に腰を掛ける際あるいは入浴補助具に腰を掛けた状態から立ち上がる際などに、入浴者がバランスをとるためや力を入れるためなどに浴槽の縁や入浴補助具に手を掛けることがある。しかしながら、上記第２の構成によると、挟み込み機構の操作部が座面部の下に位置していないので、入浴者が誤って挟み込み機構の操作部を触ってしまうおそれを低減することができる。
【００１６】
また、浴槽への出入りにおいて入浴者は浴槽の縁を跨ぐことになる。しかしながら、上記第２の構成によると、挟み込み機構の操作部が座面部の下に位置しておらず背もたれ部の後方に位置しているので、入浴者が浴槽の縁を跨ぐ際に入浴者の足が誤って挟み込み機構の操作部に当たってしまうおそれがなくなる。
【００１７】
すなわち、上記第２の構成によると、挟み込み機構の誤操作を抑えることができる。
【００１８】
上記第１又は第２の構成の入浴補助具において、前記挟み込み機構の操作部が前記背もたれ部の上半分に対応する位置内に配置されている構成（第３の構成）とすることが好ましい。
【００１９】
上記第３の構成によると、挟み込み機構の操作部が背もたれ部の上半分に対応する位置内にあるので、入浴者が誤って挟み込み機構の操作部を触ってしまうおそれをより一層低減することができ、挟み込み機構の誤操作をより確実に抑えることができる。
【００２０】
上記第１〜第３のいずれかの構成の入浴補助具において、前記挟み込み機構が前記座面部の下方に配置されている部分を有する構成（第４の構成）とすることが好ましい。
【００２１】
上記第４の構成によると、挟み込み機構が浴槽の縁を挟み込む領域を座面部の下方で広くとることができるので、入浴補助具のサイズを大きくすることなく挟み込み機構を浴槽の縁に強固に固定することができる。
【発明の効果】
【００２２】
本発明によれば、挟み込み機構が浴槽の縁に固定された状態で浴槽の縁上面の上方に位置する挟み込み機構の部分が座面部の下に配置されないので、着座高さが高くなり過ぎることを防止することができる。
【図面の簡単な説明】
【００２３】
【図１】本発明の第１実施形態に係る入浴補助具の斜視図である。
【図２Ａ】本発明の第１実施形態に係る入浴補助具の背面図である。
【図２Ｂ】本発明の第１実施形態に係る入浴補助具の下面図である。
【図２Ｃ】本発明の第１実施形態に係る入浴補助具の左側面図である。
【図２Ｄ】本発明の第１実施形態に係る入浴補助具の右側面図である。
【図３Ａ】本発明の第２実施形態に係る入浴補助具の背面図である。
【図３Ｂ】本発明の第２実施形態に係る入浴補助具の下面図である。
【図３Ｃ】本発明の第２実施形態に係る入浴補助具の左側面図である。
【図３Ｄ】本発明の第２実施形態に係る入浴補助具の右側面図である。
【図４】本発明の第３実施形態に係る入浴補助具の背面図である。
【図５】本発明の第４実施形態に係る入浴補助具の背面図である。
【発明を実施するための形態】
【００２４】
本発明の実施形態について図面を参照して以下に説明する。
【００２５】
＜第１実施形態＞
図１は本発明の第１実施形態に係る入浴補助具の斜視図である。本実施形態に係る入浴補助具は、座面部１と、背もたれ部２と、挟み込み機構３とを備えている。
【００２６】
座面部１および背もたれ部２によって所謂背もたれ椅子が構成される。なお、本実施形態においては、座面部１と背もたれ部２とを一体成型しているが、座面部１と背もたれ部２とを別々の部品とし、座面部１の後端部と背もたれ部２の下端部とを接続する形態であっても構わない。
【００２７】
背もたれ部２の上部には開口部２Ａが設けられている。開口部２Ａは例えば本実施形態に係る入浴補助具を持ち運ぶ際の取っ手として利用することができる。
【００２８】
挟み込み機構３は、浴槽の縁４を挟み込むことで浴槽の縁４に固定することができる機構であり、背もたれ部２の後方および座面部１の下方に配置されている。挟み込み機構３が浴槽の縁４に固定された状態で浴槽の縁上面４Ａの上方に位置する挟み込み機構３の部分が、背もたれ部２の後方に配置されており、座面部１の下方には配置されていない。したがって、着座高さが、浴槽の縁４の高さと座面部１の厚みとの合計のみになり、高くなり過ぎないため、入浴者が楽に腰を掛けることができる。
【００２９】
次に、挟み込み機構３の構成について図２Ａ〜図２Ｄを参照して説明する。図２Ａは本実施形態に係る入浴補助具の背面図であり、図２Ｂは本実施形態に係る入浴補助具の下面図であり、図２Ｃは本実施形態に係る入浴補助具の左側面図であり、図２Ｄは本実施形態に係る入浴補助具の右側面図である。
【００３０】
挟み込み機構３は、操作ノブ３Ａと、操作ノブ支持部３Ｂと、押圧部材３Ｃと、押圧部材支持部３Ｄと、押圧受け部材３Ｅとを備えている。
【００３１】
操作ノブ３Ａの回転軸は雄ねじになっており、押圧部材３Ｃの貫通孔に回動可能に挿入され、操作ノブ支持部３Ｂに設けられた雌ねじ部にねじ止めされている。また、操作ノブ３Ａの回転軸には、押圧部材３Ｃの上端部が操作ノブ３Ａに対してＹ軸方向に動かないようにするための固定部材（不図示）が取り付けられている。
【００３２】
操作ノブ支持部３Ｂは背もたれ部２の後方面に接続されており、背もたれ部２から後方（Ｘ軸の負方向）に延出している。なお、操作ノブ支持部３Ｂと背もたれ部２とを一体成型してもよい。
【００３３】
押圧部材３Ｃは押圧部材支持部３Ｄによって回動可能に支持されている。操作ノブ３Ａが時計回りに回転すると、押圧部材３Ｃの上端部はＹ軸の負方向に移動し、押圧部材３Ｃの下端部はＹ軸の正方向に移動して、押圧部材３Ｃと押圧受け部材３Ｅとの距離が大きくなる。押圧部材３Ｃの下端部はＸ軸の正方向に延出しており、その延出部分が押圧受け部材３Ｅに対向している。
【００３４】
操作ノブ３Ａが反時計回りに回転すると、押圧部材３Ｃの上端部はＹ軸の正方向に移動し、押圧部材３Ｃの下端部はＹ軸の負方向に移動して、押圧部材３Ｃと押圧受け部材３Ｅとの距離が小さくなる。したがって、挟み込み機構３によって本実施形態に係る入浴補助具を浴槽の縁４に固定する際には、操作者は操作ノブ３Ａを反時計回りに回転させ、当該固定を解除する際には、操作者は操作ノブ３Ａを時計回りに回転させる。
【００３５】
押圧部材支持部３Ｄの端部は背もたれ部２の後方面に接続されており、背もたれ部２から後方（Ｘ軸の負方向）に延出している。
【００３６】
押圧受け部材３Ｅは、座面部１の下面に接続されており、Ｘ軸方向に延在している。なお、操作ノブ支持部３Ｂと座面部１とを一体成型してもよい。
【００３７】
上記の通り挟み込み機構３の操作部である操作ノブ３Ａが背もたれ部２の後方に配置されており、座面部１の下に位置していないので、入浴者が誤って操作ノブ３Ａを触ってしまうおそれを低減することができ、入浴者が浴槽の縁４を跨ぐ際に入浴者の足が誤って操作ノブ３Ａに当たってしまうおそれがなくなる。すなわち、挟み込み機構３の誤操作を抑えることができる。
【００３８】
なお、本実施形態では操作ノブ３Ａは背もたれ部２の上下方向（Ｚ軸方向）において中央より若干下側に配置されているが、操作ノブ３Ａは背もたれ部２の上半分に対応する位置内に配置することが好ましい。これにより、入浴者が誤って操作ノブ３Ａを触ってしまうおそれをより一層低減することができ、挟み込み機構３の誤操作をより確実に抑えることができる。
【００３９】
また、押圧部材３Ｃと押圧受け部材３Ｅとが座面部１の下方で対向しているので、挟み込み機構３が浴槽の縁４を挟み込む領域を座面部１の下方で広くとることができるので、本実施形態に係る入浴補助具のサイズを大きくすることなく挟み込み機構３を浴槽の縁４に強固に固定することができる。
【００４０】
＜第２実施形態＞
本発明の第２実施形態に係る入浴補助具について図３Ａ〜図３Ｄを参照して説明する。図３Ａは本実施形態に係る入浴補助具の背面図であり、図３Ｂは本実施形態に係る入浴補助具の下面図であり、図３Ｃは本実施形態に係る入浴補助具の左側面図であり、図３Ｄは本実施形態に係る入浴補助具の右側面図である。なお、本実施形態に係る入浴補助具において、第１実施形態に係る入浴補助具の各構成要素と同様の構成要素には同一の符号を付す。
【００４１】
本実施形態に係る入浴補助具は、第１実施形態に係る入浴補助具と同様に、座面部１と、背もたれ部２と、挟み込み機構３とを備えている。また、挟み込み機構３は、操作ノブ３Ａと、操作ノブ支持部３Ｂと、押圧部材３Ｃと、押圧部材支持部３Ｄと、押圧受け部材３Ｅとを備えている。さらに、操作ノブ３Ａの回転軸には、押圧部材３Ｃの屈曲部下方が操作ノブ３Ａに対してＹ軸方向に動かないようにするための固定部材（不図示）が取り付けられている。
【００４２】
本実施形態に係る入浴補助具と第１実施形態に係る入浴補助具との相違点は、挟み込み機構３の構成である。より具体的には押圧部材３Ｃの形状と押圧部材支持部３Ｄが設けられる位置とが異なっている。
【００４３】
操作ノブ３Ａが時計回りに回転すると、押圧部材３Ｃの屈曲部下方はＹ軸の負方向に移動し、押圧部材３Ｃと押圧受け部材３Ｅとの距離が小さくなる。押圧部材３Ｃの下端部はＸ軸の正方向に延出しており、その延出部分が押圧受け部材３Ｅに対向している。
【００４４】
操作ノブ３Ａが反時計回りに回転すると、押圧部材３Ｃの屈曲部下方はＹ軸の正方向に移動し、押圧部材３Ｃと押圧受け部材３Ｅとの距離が大きくなる。したがって、挟み込み機構３によって本実施形態に係る入浴補助具を浴槽の縁４に固定する際には、操作者は操作ノブ３Ａを時計回りに回転させ、当該固定を解除する際には、操作者は操作ノブ３Ａを反時計回りに回転させる。
【００４５】
本実施形態に係る入浴補助具は第１実施形態に係る入浴補助具と同様の効果を奏する。
【００４６】
＜第３実施形態＞
本発明の第３実施形態に係る入浴補助具について図４を参照して説明する。図４は本実施形態に係る入浴補助具の背面図である。なお、本実施形態に係る入浴補助具において、第１および第２実施形態に係る入浴補助具の各構成要素と同様の構成要素には同一の符号を付す。
【００４７】
本実施形態に係る入浴補助具と第１及び第２実施形態に係る入浴補助具との相違点は、挟み込み機構３の構成である。本実施形態において、挟み込み機構３は、操作ノブ３Ａと、操作ノブ支持部３Ｂと、押圧部材３Ｃと、押圧受け部材３Ｅと、軸部３Ｆと、軸部支持部３Ｇとを備えている。さらに、操作ノブ３Ａの回転軸には、押圧部材３Ｃが操作ノブ３Ａに対してＹ軸方向に動かないようにするための固定部材（不図示）が取り付けられている。
【００４８】
軸部３Ｆは押圧部材３Ｃに接続されており、押圧部材３ＣからＹ軸の負方向に延出している。なお、軸部３Ｆと押圧部材３Ｃとを一体成型してもよい。
【００４９】
軸部支持部３ＧはＹ軸方向に延在する円筒状部材であり、その外筒部分が操作ノブ支持部３Ｂに設けられた貫通孔に接続されている。なお、軸部支持部３Ｇと操作ノブ支持部３Ｂを一体成型してもよい。軸部支持部３Ｇの内筒部分に軸部３ＦがＹ軸方向に移動可能に挿入される。
【００５０】
操作ノブ３Ａが時計回りに回転すると、押圧部材３Ｃおよび軸部３ＦはＹ軸の負方向に移動し、押圧部材３Ｃと押圧受け部材３Ｅとの距離が小さくなる。押圧部材３Ｃの下端部はＸ軸の正方向に延出しており、その延出部分が押圧受け部材３Ｅに対向している。
【００５１】
操作ノブ３Ａが反時計回りに回転すると、押圧部材３Ｃおよび軸部３ＦはＹ軸の正方向に移動し、押圧部材３Ｃと押圧受け部材３Ｅとの距離が大きくなる。したがって、挟み込み機構３によって本実施形態に係る入浴補助具を浴槽の縁４に固定する際には、操作者は操作ノブ３Ａを時計回りに回転させ、当該固定を解除する際には、操作者は操作ノブ３Ａを反時計回りに回転させる。
【００５２】
本実施形態に係る入浴補助具は第１および第２実施形態に係る入浴補助具と同様の効果を奏する。
【００５３】
＜第４実施形態＞
本発明の第４実施形態に係る入浴補助具について図５を参照して説明する。図５は本実施形態に係る入浴補助具の背面図である。なお、本実施形態に係る入浴補助具において、第１〜第３実施形態に係る入浴補助具の各構成要素と同様の構成要素には同一の符号を付す。
【００５４】
本実施形態に係る入浴補助具と第１〜第３実施形態に係る入浴補助具との相違点は、挟み込み機構３の構成である。本実施形態において、挟み込み機構３は、操作ノブ３Ａと、操作ノブ支持部３Ｂと、押圧部材３Ｃと、押圧受け部材３Ｅと、リンク機構３Ｈとを備えている。二つのリンク機構３Ｈはそれぞれ、三つの節および四つの可動部を有している。
各リンク機構３Ｈの一端の可動部は操作ノブ支持部３Ｂに接続されており、各リンク機構３Ｈの他端の可動部は押圧部材３Ｃに接続されている。操作ノブ３Ａの回転軸は、一方のリンク機構３Ｈの中央の節に設けられた雌ねじ部にねじ止めされている。さらに、操作ノブ３Ａの回転軸には、他方のリンク機構３Ｈの中央の節が操作ノブ３Ａに対してＺ軸方向に動かないようにするための固定部材（不図示）が取り付けられている。
【００５５】
操作ノブ３Ａが時計回りに回転すると、一方のリンク機構３Ｈの中央の節と他方のリンク機構３Ｈの中央の節との距離が小さくなり、押圧部材３Ｃと押圧受け部材３Ｅとの距離が小さくなる。
【００５６】
操作ノブ３Ａが反時計回りに回転すると、一方のリンク機構３Ｈの中央の節と他方のリンク機構３Ｈの中央の節との距離が大きくなり、押圧部材３Ｃと押圧受け部材３Ｅとの距離が大きくなる。したがって、挟み込み機構３によって本実施形態に係る入浴補助具を浴槽の縁４に固定する際には、操作者は操作ノブ３Ａを時計回りに回転させ、当該固定を解除する際には、操作者は操作ノブ３Ａを反時計回りに回転させる。
【００５７】
本実施形態に係る入浴補助具は第１〜第３実施形態に係る入浴補助具と同様の効果を奏する。
【００５８】
＜まとめ＞
以上、本発明の実施形態につき説明したが、本発明の範囲はこれに限定されるものではなく、発明の主旨を逸脱しない範囲で種々の変更を加えて実施することができる。例えば、上述した各実施形態では、挟み込み機構の操作部として操作ノブを用いたが、操作レバーなどを用いてもよい。
【００５９】
また、上述した各実施形態では、挟み込み機構３の一部を座面部１の下方に配置したが、挟み込み機構３の全部を背もたれ部２の後方に配置し、座面部１の下方には挟み込み機構３を一切配置しない構成にすることも可能である。
【符号の説明】
【００６０】
１  座面部
２  背もたれ部
２Ａ  開口部
３  挟み込み機構
３Ａ  操作ノブ
３Ｂ  操作ノブ支持部
３Ｃ  押圧部材
３Ｄ  押圧部材支持部
３Ｅ  押圧受け部材
３Ｆ  軸部
３Ｇ  軸部支持部
３Ｈ  リンク機構
４  浴槽の縁
４Ａ  浴槽の縁上面
【図１】
2015062536.tif 000003
【図２Ａ】
2015062536.tif 000004
【図２Ｂ】
2015062536.tif 000005
【図２Ｃ】
2015062536.tif 000006
【図２Ｄ】
2015062536.tif 000007
【図３Ａ】
2015062536.tif 000008
【図３Ｂ】
2015062536.tif 000009
【図３Ｃ】
2015062536.tif 000010
【図３Ｄ】
2015062536.tif 000011
【図４】
2015062536.tif 000012
【図５】
2015062536.tif 000013